(57)【要約】【課題】シャワーヘッドの外観を薄くすることができ、意匠性の向上を図ることができる。【解決手段】表面２４ｂに散水孔２４ａを有する散水部材２と、散水部材２を保持し、内部に散水孔２４ａと連通した環状通水路３Ｃを収容する本体ケース４のヘッド本体部４１と、を備え、ヘッド本体部４１内に、散水孔２４ａへ導水する環状通水路３Ｃが形成された通水部材３が設けられ、通水部材３は、裏面側からみた中央部において固定ねじ５０により散水部材２に固定されている構成のシャワーヘッド装置を提案する。【選択図】図３
2020025610.tif 000002
【特許請求の範囲】
【請求項１】
表面に散水孔を有する散水板と、
前記散水板を保持し、内部に前記散水孔と連通した通水路を収容する本体ケースと、を備えたシャワーヘッド装置であって、
前記本体ケース内に、前記散水孔へ導水する環状通水路が形成された通水部材が設けられ、
前記通水部材は、裏面側からみた中央部において固定ねじにより前記散水板に固定されていることを特徴とするシャワーヘッド装置。
【請求項２】
前記通水部材と前記散水板とは、それぞれの外周部分で回転不能な状態で嵌合している請求項１に記載のシャワーヘッド装置。
【請求項３】
前記通水部材と前記散水板とは、それぞれの外周部分で隙間なく嵌合している請求項１又は２に記載のシャワーヘッド装置。
【請求項４】
前記通水部材と前記散水板とは、互いに位置決めされた状態でそれぞれの外周部分で嵌合している請求項１乃至３のいずれか１項に記載のシャワーヘッド装置。
【請求項５】
表面に散水孔を有する散水板と、
前記散水板を保持し、内部に前記散水孔と連通した通水路を収容する本体ケースと、を備えたシャワーヘッド装置であって、
前記本体ケース内に、前記散水孔へ導水する環状通水路が形成された通水部材が設けられ、
前記通水部材は、表裏に分割された裏側通水部と表側通水部とを有し、
前記裏側通水部及び前記表側通水部が溶着により一体的に形成されていることを特徴とするシャワーヘッド装置。
【請求項６】
前記通水部材には、前記環状通水路から水が流出される流出口が形成され、
前記散水板には、前記環状通水路から流出した水を受け入れる流入口が形成され、
前記通水部材と前記散水板とは、前記流出口と前記流入口との間に空隙をあけた状態で配置されて組み付けられている請求項１乃至５のいずれか１項に記載のシャワーヘッド装置。
【発明の詳細な説明】
【技術分野】
【０００１】
本発明は、シャワーヘッド装置に関する。
【背景技術】
【０００２】
従来、給水源から延ばされた給水ホースに接続されて、湯水などの流体を表面側から散水するシャワーヘッド装置として、例えば特許文献１に示すような、表面に散水孔を有する散水板と、散水板を保持し、内部に散水孔と連通した通水路を収容する本体ケースと、を備えたものが知られている。
【先行技術文献】
【特許文献】
【０００３】
【特許文献１】特開２０１５−２７３３１号公報
【発明の概要】
【発明が解決しようとする課題】
【０００４】
しかしながら、特許文献１に示すような従来のシャワーヘッド装置では、内部部材をねじ部材で螺合させて固定する際に、表裏方向からみて本体ケースの外周側で複数のねじ部材によって固定されている。そのため、シャワーヘッドの外観が厚くなることから、意匠性の点で改善の余地があった。
【０００５】
本発明は、上述する問題点に鑑みてなされたもので、シャワーヘッドの外観を薄くすることができ、意匠性の向上を図ることができるシャワーヘッド装置を提供することを目的とする。
【課題を解決するための手段】
【０００６】
上記目的を達成するため、本発明に係るシャワーヘッド装置は、表面に散水孔を有する散水板と、前記散水板を保持し、内部に前記散水孔と連通した通水路を収容する本体ケースと、を備えたシャワーヘッド装置であって、前記本体ケース内に、前記散水孔へ導水する環状通水路が形成された通水部材が設けられ、前記通水部材は、裏面側からみた中央部において固定ねじにより前記散水板に固定されていることを特徴としている。
【０００７】
本発明によれば、通水部材と散水板との固定ねじによるねじ固定部分が本体ケースの中央部分となる。そのため、通水部材において、散水孔へ導水する通水路を中央部分を囲うような環状に形成できるので、ねじ固定部分が本体ケースの外周部分となる場合に比べて、外周部分の厚さを小さくすることができる。したがって、シャワーヘッド装置全体の外観を薄くすることができ、意匠性の向上を図ることができる。
【０００８】
また、本発明に係るシャワーヘッド装置は、前記通水部材と前記散水板とは、それぞれの外周部分で回転不能な状態で嵌合していることを特徴としてもよい。
【０００９】
この場合には、通水部材と散水板とが回転不能に固定され、双方の部材が安定した姿勢により嵌合した状態となるので、本体ケースにおける中央部のみでねじ固定する構成であっても、両部材を適切に組み付けることができる。
【００１０】
また、本発明に係るシャワーヘッド装置は、前記通水部材と前記散水板とは、それぞれの外周部分で隙間なく嵌合していることを特徴としてもよい。
【００１１】
この場合には、通水部材と散水板とが外周部分で隙間なく固定され、双方の部材が安定した姿勢により嵌合した状態となるので、本体ケースにおける中央部のみでねじ固定する構成であっても、両部材を適切に組み付けることができる。
【００１２】
また、本発明に係るシャワーヘッド装置は、前記通水部材と前記散水板とは、互いに位置決めされた状態でそれぞれの外周部分で嵌合していてもよい。
【００１３】
この場合には、通水部材と散水板とが位置決めされ、双方の部材が安定した姿勢により嵌合した状態となるので、本体ケースにおける中央部のみでねじ固定する構成であっても、両部材を適切に組み付けることができる。
【００１４】
また、本発明に係るシャワーヘッド装置は、表面に散水孔を有する散水板と、前記散水板を保持し、内部に前記散水孔と連通した通水路を収容する本体ケースと、を備えたシャワーヘッド装置であって、前記本体ケース内に、前記散水孔へ導水する環状通水路が形成された通水部材が設けられ、前記通水部材は、表裏に分割された裏側通水部と、表側通水部とを有し、前記裏側通水部及び前記表側通水部が溶着により一体的に形成されていることを特徴としている。
【００１５】
本発明によれば、通水部材の裏側通水部と表側通水部とが溶着により一体的に固定されているため、散水孔へ導水する通水路を中央部分を囲うような環状に形成できるので、ねじ固定部分が本体ケースの外周部分となるような従来の場合に比べて、外周部分の厚さを小さくすることができる。したがって、シャワーヘッド装置全体の外観を薄くすることができ、意匠性の向上を図ることができる。
【００１６】
また、本発明に係るシャワーヘッド装置は、前記通水部材には、前記環状通水路から水が流出される流出口が形成され、前記散水板には、前記環状通水路から流出した水を受け入れる流入口が形成され、前記通水部材と前記散水板とは、前記流出口と前記流入口との間に空隙をあけた状態で配置されて組み付けられていることを特徴としてもよい。
【００１７】
本発明では、通水部材の流出口から流出した水に、通水部材と散水板との間の空隙により空気が混入され、空気が混入した水を散水板の流入口に流入させることが可能な良好な散水を行うことができる。このように本発明では、シャワーヘッド装置全体の外観を薄い状態を維持しつつも、通水部材と散水板との間の空隙を形成することができる。
【発明の効果】
【００１８】
本発明のシャワーヘッド装置によれば、シャワーヘッドの外観を薄くすることができ、意匠性の向上を図ることができる。
【図面の簡単な説明】
【００１９】
【図１】本発明の実施形態によるシャワーヘッド装置の全体構成を斜め表面側からみた斜視図である。
【図２】図１に示すシャワーヘッド装置の分解斜視図である。
【図３】散水部材及び通水部材の散水軸を通る縦断面図である。
【図４】散水部材の分解斜視図である。
【図５】散水部材とグリップケースの構成を示す斜視図である。
【図６】散水部材、通水部材、及びグリップケースを斜め裏面側からみた斜視図である。
【図７】散水部材及び通水部材の固定前の状態を示す分解斜視図である。
【図８】通水部材における上通水部と下通水部の分解斜視図である。
【図９】図８に示す上通水部と下通水部を一体に接合した分解斜視図である。
【図１０】下通水部を裏面側からみた平面図である。
【図１１】下通水部を表面側からみた平面図である。
【図１２】上通水部を表面側からみた平面図である。
【図１３】上通水部を斜め表面側からみた斜視図である。
【図１４】シャワーヘッド装置の縦断面図である。
【発明を実施するための形態】
【００２０】
以下、本発明の一実施形態によるシャワーヘッド装置の一例について、図面に基づいて説明する。
【００２１】
図１及び図２に示す本実施形態のシャワーヘッド装置１は、給水源（図示省略）から延ばされた給水ホース６（図１）に接続されて、湯または水などの流体を表面側から散水するハンドシャワーである。
【００２２】
シャワーヘッド装置１は、図３に示すように、表面に散水孔２４ａを有して流体を散水する散水部材２と、内部に散水孔２４ａと連通した通水路（環状通水路３Ｃ）を有し、上流側からの流体を散水部材２に供給する通水部材３と、散水部材２及び通水部材３を収容する本体ケース４と、本体ケース４に収容される一次止水機構ユニット５（図２参照）と、を備えている。
シャワーヘッド装置１は、流体の散水部材２への給水を一次止水する際に、本体ケース４に設けられる後述する押しボタン５３を操作することによって給水から一次止水に切り替えることが可能な構成となっている。
【００２３】
散水部材２及び通水部材３は、金属やプラスチック等の部材により略円盤形状に形成されている。
散水部材２は、上散水板２Ａと、下散水板２Ｂと、を有している。通水部材３は、上通水部３Ａ（裏側通水部）と、下通水部３Ｂ（表側通水部）と、を有している。そして、上通水部３Ａ、下通水部３Ｂ、上散水板２Ａ、及び下散水板２Ｂが上方（裏面）から下方（表面）に向けてその順で配置されている。
散水部材２は、裏面からみた平面視で中央部分にアクセントリング２１と化粧プレート２２とを有している。上散水板２Ａと下散水板２Ｂは、アクセントリング２１と化粧プレート２２とを挟持した状態で溶着されている。
【００２４】
ここで、以降の説明において、上通水部３Ａ、下通水部３Ｂ、上散水板２Ａ、下散水板２Ｂ、アクセントリング２１、化粧プレート２２が共通の軸線上に配置され、この共通軸線を散水軸Ｏという。散水軸Ｏ方向に沿って、下散水板２Ｂの散水孔２４ａが開口する一方の面で、流体が吐水される面側を表面側、あるいは下側といい、他方の面側を裏面側、あるいは上側という。
また、散水軸Ｏ方向から見た平面視において、散水軸Ｏに直交する方向を径方向といい、散水軸Ｏ回りに周回する方向を周方向という。
【００２５】
下散水板２Ｂは、図３及び図４に示すように、平面視で円形形状に形成され、中央に第１開口部２３を有し、板厚方向に貫通する複数の散水孔２４ａが形成された散水面２４を備えている。複数の散水孔２４ａは、下散水板２Ｂの周方向に沿って均等に配置されている。シャワーヘッド装置１は複数の散水孔２４ａから流体をシャワー状に吐水する。第１開口部２３は、角部が滑らかに湾曲した略矩形状に形成されている。散水面２４は、外周部から中央の第１開口部２３に向かって下方に凸となる凸曲面に形成されている。
【００２６】
散水面２４の裏面には、第１開口部２３の周囲から裏面側に向けて突出する筒状リブ２５が設けられている。筒状リブ２５は、第１開口部２３より外側に位置するような内径寸法をなしており、第１開口部２３との間に上向きの段部２５ａが形成されている。筒状リブ２５には、上側に開口する切欠凹部２５ｂが周方向に均等の間隔をあけて複数（ここでは３箇所）形成されている。これら３つの切欠凹部２５ｂは、後述する上散水板２Ａの連結片２６２が係止される。
筒状リブ２５の内側には、裏面側からアクセントリング２１及び化粧プレート２２が挿入されて収容される。
【００２７】
アクセントリング２１は、略円形のリング状をなし、上部が径方向の外側に突出する第１フランジ部２１１を有している。アクセントリング２１の第１フランジ部２１１よりも下側部分（リング本体２１２）は、外周から内周に向かうに従い漸次、緩やかに上になる湾曲面２１２ａが形成されている。第１フランジ部２１１の上面２１１ａは平面に形成されている。
【００２８】
アクセントリング２１は、化粧プレート２２を装着した状態で、上方（裏面側）から下散水板２Ｂの第１開口部２３及び筒状リブ２５の内側に収容される。具体的には、第１開口部２３にリング本体２１２が係合され、筒状リブ２５に形成される段部２５ａにアクセントリング２１の第１フランジ部２１１が裏面側から当接された状態で装着されている。このとき、リング本体２１２の下端２１２ｂは、散水面２４の表面２４ｂと同一面か、少なくとも表面２４ｂよりも下側に突出しないように設定されている。
【００２９】
化粧プレート２２は、下面に平坦な化粧面２２１ａを有する化粧板２２１と、化粧板２２１の上縁部から径方向の外側に突出した第２フランジ部２２２と、を有している。化粧板２２１は、アクセントリング２１の内周形状と同等に形成され、アクセントリング２１の内周面２１ａに嵌合可能に設けられている。化粧板２２１がアクセントリング２１に嵌合した状態で、第２フランジ部２２２の下面２２２ａは、アクセントリング２１の第１フランジ部２１１の上面２１１ａに当接した状態となる。
【００３０】
化粧プレート２２は、アクセントリング２１に装着された状態で化粧面２２１ａがリング本体２１２の下端よりも上方に位置している。つまり、化粧プレート２２がアクセントリング２１を介して下散水板２Ｂの開口部２３に装着された状態で、化粧面２２１ａは散水面２４の表面２４ｂよりも奥まった位置に配置される。
【００３１】
上散水板２Ａは、図３及び図４に示すように、中央に下散水板２Ｂの筒状リブ２５に外嵌する円形の第２開口部２６０を有し、下散水板２Ｂの外周縁部２ａ近傍の径方向の内側で上方に突出する外周壁２ｂに対して全周にわたって溶着により一体的に設けられている。
上散水板２Ａは、円板部２６１と、円板部２６１の中心に形成される第２開口部２６０の内側の中心部に連結片２６２を介して設けられたねじ係止筒２６３と、円板部２６１を板厚方向に貫通する複数（ここでは３つ）の第１流通孔２６４（流入口）と、を備えている。
【００３２】
円板部２６１は、上面に下通水部３Ｂとの間に空気層２６Ａを形成する空気取込面２６１ａを有している。空気取込面２６１ａの外周側と通水部材３の外周縁との間に空気流入口２６Ｂが形成され、この空気流入口２６Ｂを介して空気層２６Ａと本体ケース４のヘッド本体部４１内の空間とが連通している。
ここで、空気層２６Ａは、第１流通孔２６４と連通しており、外部（ここでは、本体ケース４のヘッド本体部４１内で空気取込面２６１ａと連通する空間）の空気が流入する内部空間である。
【００３３】
また、円板部２６１は、下散水板２Ｂに固着した状態で、下散水板２Ｂの散水面２４との間に空洞をなす散水室２４Ａが形成されている。空気取込面２６１ａは、外周部から中央の第２開口部２６０に向かって下方に凸となる凸曲面に形成されている。円板部２６１に形成されている第１流通孔２６４は、周方向に所定の間隔をあけて設けられ、後述する下通水部３Ｂの第２流通孔３４の直下に所定の離間をあけて配置され、かつ同軸となる位置に配置されている。
【００３４】
第１流通孔２６４は、流路断面積が下方に向かうに従い絞られた絞り形状をなしている。すなわち、第１流通孔２６４は、第２流通孔３４から送り出された水を空気取込面２６１ａの空気層２６Ａの空気と混合させて円板部２６１の表面側（下散水板２Ｂの散水面２４）に向けて通過させる。
このように上散水板２Ａでは、第１流通孔２６４を流体が通過することにより生成される負圧により、空気流入口２６Ｂを経由して空気層２６Ａから空気を引き込み、流体と空気とを混合させる。第１流通孔２６４は、気泡が混合した流体を散水面２４に案内する。
このように上散水板２Ａは、空気層２６Ａを経由して、第１流通孔２６４を介して流体に空気を混入して下散水板２Ｂの内部の散水室に供給するエゼクタ機能を有している。そして、散水室に供給された空気含有の流体（水）が多数の散水孔２４ａから散水される。
【００３５】
円板部２６１の空気取込面２６１ａには、上方に向けて突出する複数（ここでは３つ）の位置決めリブ２６５が設けられている。位置決めリブ２６５は、周方向で第１流通孔２６４に対応する位置で、円板部２６１の半径方向に沿って延びている。
【００３６】
ねじ係止筒２６３は、第２開口部２６０に接続された３つの連結片２６２によって支持されている。複数の連結片２６２は、それぞれ半径方向に延びるとともに、周方向に所定の間隔をあけて配置されている。ねじ係止筒２６３の内側には、後述する固定ねじ５０が螺合可能な雌ねじ２６３ａが形成されている。
【００３７】
下通水部３Ｂは、図５乃至図９に示すように、上散水板２Ａの円板部２６１の裏面側に間隔をあけて配置され、上散水板２Ａの上側から固定ねじ５０によって固定されている。
下通水部３Ｂは、図８及び図１０に示すように、リング形状の第１環状通水路３１と、第１環状通水路３１の中心に形成される第３開口部３２の内側の中心部に連結片３３１を介して設けられたねじ挿通筒３３と、第１環状通水路３１を板厚方向に貫通する複数（ここでは３つ）の第２流通孔３４（流出口）と、を備えている。
【００３８】
第１環状通水路３１は、環状板３１１と、環状板３１１の内周縁から全周にわたって上方に突出する内周壁３１２と、環状板３１１の外周縁から全周にわたって上方に突出する外周壁３１３と、を有している。第１環状通水路３１は、通水部材３の下半部分を構成している。
第２流通孔３４は、環状板３１１において周方向に所定の間隔をあけて設けられ、上散水板２Ａの第１流通孔２６４の直上に所定の離間をあけて配置され、かつ同軸となる位置に配置されている。
【００３９】
第３開口部３２は、上散水板２Ａの第２開口部２６０と同径で同軸に配置される。
ねじ挿通筒３３は、図７及び図８に示すように、有頂筒状をなし、頂壁３３２には固定ねじ５０のねじ部が挿通可能なねじ穴３３２ａが形成されている。ねじ挿通筒３３内には、上散水板２Ａのねじ係止筒２６３が挿入されるようになっている。ねじ穴３３２ａに上方から挿通された固定ねじ５０は、ねじ係止筒２６３の雌ねじ２６３ａに螺合可能となっている。
【００４０】
第１環状通水路３１の環状板３１１の下面３１１ａには、図１１に示すように、上散水板２Ａにおける円板部２６１の空気取込面２６１ａに設けられる位置決めリブ２６５に上方から嵌合する凸リブ３５が下方に向けて突出している（図５参照）。
凸リブ３５は、位置決めリブ２６５のリブ幅分だけ互いに間隔を開けた一対のリブ材からなり、周方向で複数（３つ）の位置決めリブ２６５に対応する位置で、環状板３１１の半径方向に沿って延びている。凸リブ３５の高さは、位置決めリブ２６５の高さよりも大きく設定されている。下通水部３Ｂは、凸リブ３５によって位置決めリブ２６５を挟持するように係合させることで、上散水板２Ａにおける円板部２６１の空気取込面２６１ａに対して上方に間隔をあけて配置される。
【００４１】
上通水部３Ａは、図５乃至図９に示すように、上通水部３Ａの裏面側において外周縁同士を溶着して一体的に固定され、内側にドーナツ形状の環状通水路３Ｃを形成している。
上通水部３Ａは、図１２及び図１３に示すように、中心部に第４開口部３６を形成したリング形状の第２環状通水路３７と、第２環状通水路３７に側方から連通する流体導入路３８と、を備えている。
【００４２】
第２環状通水路３７は、環状板３７１と、環状板３７１の内周縁から全周にわたって下方に突出する内周壁３７２と、環状板３７１の外周縁から全周にわたって下方に突出する外周壁３７３と、を有している。第２環状通水路３７は、通水部材３の上半部分を構成している。環状板３７１は、外周部から中央の第４開口部３６に向かって上方に凸となる凸曲面に形成されている。上通水部３Ａにおける内周壁３７２と外周壁３７３とは、それぞれ下通水部３Ｂの内周壁３１２と外周壁３１３の突出端同士を当接させて全周溶着により固定されている。第１環状通水路３１と第２環状通水路３７とが上下に組み合わされることで、ドーナツ形状の環状通水路３Ｃが構成される。つまり、固定ねじ５０を使って散水部材２を通水部材３に固定する箇所が中央部分となるので、上通水部３Ａにおける外周側の高さを小さく抑えることができる。
【００４３】
第４開口部３６は、下通水部３Ｂの第３開口部３２と同径で同軸に配置される。第４開口部３６の内側は、第２開口部２６０および第３開口部３２の内側と連通する中央空洞部が形成されている。中央空洞部は、上方からねじ挿通筒３３のねじ穴３３２ａにアクセス可能な空間であり、固定ねじ５０をねじ係止筒２６３の雌ねじ２６３ａに締め付けることができる。
流体導入路３８は、第２環状通水路３７から径方向の外側に向けて延在し、上流端が開口部になっており、後述する一次止水機構ユニット５の流路に接続される。
【００４４】
本体ケース４は、図１及び図２に示すように、表面側に散水部材２及び通水部材３が収容可能な碗状部４１ａを形成させたヘッド本体部４１と、ヘッド本体部４１を長手方向の一端に一体的に設けた持手部４２と、持手部４２の表面側に開口し後述する押しボタン５３が配置されるボタン開口部４３と、を備えている。このような本体ケース４は、プラスチックなどにより形成されている。
【００４５】
ヘッド本体部４１の内周縁部４１ｂには、散水部材２の下散水板２Ｂの外周部が嵌合される。これにより、散水部材２がヘッド本体部４１の内側に装着される。すなわち、散水部材２の裏面側、および外周面がヘッド本体部４１によって覆われた状態となる。
【００４６】
持手部４２は、上下方向が幅方向よりも短尺な扁平断面の筒状をなし、片手で掴んで支持しやすい形状となっている。持手部４２の内部には、持手部４２の長手方向に沿って流路が形成されている。持手部４２には、内部にヘッド本体部４１側とは反対の基端側の開口から挿入される一次止水機構ユニット５が収容可能に設けられている。なお、持手部４２内に収容される一次止水機構ユニット５の先端は、通水部材３の環状通水路３Ｃに連通した状態で接続されている。
【００４７】
一次止水機構ユニット５は、図１４に示すように、本体ケース４の持手部４２の内側に収容されている。一次止水機構ユニット５は、持手部４２の形状に沿った細長い筒状のグリップケース５１と、グリップケース５１内に収容され通水部材３の環状通水路３Ｃに連通可能な流路を開閉する弁体５２と、スナップフィット機構を介して弁体５２を流路開閉可能に、かつ流路を切り替え可能に移動させる押しボタン５３と、を備えている。
【００４８】
グリップケース５１は、先端側ケース５１Ａと基端側ケース５１Ｂとに、長手方向に二分割されている。基端側ケース５１Ｂの基端部には、シャワーホース６（図１参照）と連結するための雄ねじ５１ａが形成されている。
なお、図１４に示すように、本体ケース４における基端部（散水部材２とは反対側の端部）には、一次止水機構ユニット５が挿入可能な把持開口部４ａが形成されている（図１、図２参照）。
【００４９】
先端側ケース５１Ａにおける弁体５２を挟んだ両側には、シャワーホース６を経由して供給される流体を本体ケース４に収容される通水部材３の環状通水路３Ｃに取り込むケース内流路５１１が先端側ケース５１Ａの長手方向に沿って形成されている。このケース内流路は、弁体５２が収容される弁体収容部５１２とは隔壁によって区画されている。
なお、図１４の符号Ｓは、スナップフィット機構による接続部を示している。グリップケース５１の先端から突出して設けられる接続部Ｓは、通水部材３の流体導入路３８の外周面に係止する構造となっている。
【００５０】
次に、本実施形態によるシャワーヘッド装置１の作用について説明する。
本実施形態では、図３に示すように、通水部材３と上散水板２Ａとの固定ねじ５０によるねじ固定部分が本体ケース４のヘッド本体部４１の中央部分となる。そのため、通水部材３において、散水孔２４ａへ導水する環状通水路３Ｃを中央部分を囲うような環状に形成できるので、ねじ固定部分がヘッド本体部４１の外周部分となる場合に比べて、外周部分の厚さを小さくすることができる。したがって、シャワーヘッド装置１全体の外観を薄くすることができ、意匠性の向上を図ることができる。
【００５１】
また、本実施形態では、下通水部３Ｂの一対の凸リブ３５によって上散水板２Ａの位置決めリブ２６５を上方から挟持した状態で嵌合している。つまり、通水部材３と上散水板２Ａ（散水部材２）とが回転不能に固定され、外周部分で隙間なく固定され、かつ位置決めされて双方の部材が安定した姿勢により嵌合した状態となるので、本実施形態のようにヘッド本体部４１における中央部のみでねじ固定する構成であっても、両部材を適切に組み付けることができる。
【００５２】
また、本実施形態では、通水部材３の上通水部３Ａと下通水部３Ｂとが溶着により一体的に固定されているため、散水孔２４ａへ導水する環状通水路３Ｃを中央部分を囲うような環状に形成できるので、ねじ固定部分が本体ケース４のヘッド本体部４１の外周部分となるような従来の場合に比べて、外周部分の厚さを小さくすることができる。したがって、シャワーヘッド装置１全体の外観を薄くすることができ、意匠性の向上を図ることができる。
【００５３】
また、本実施形態では、通水部材３の第２流通孔３４から流出した水に、下通水部３Ｂと上散水板２Ａとの間の空隙により空気が混入され、空気が混入した水を上散水板２Ａの第１流通孔２６４に流入させることが可能な良好な散水を行うことができる。このように本実施形態では、シャワーヘッド装置１全体の外観を薄い状態を維持しつつも、通水部材３と散水部材２との間の空隙を形成することができる。
【００５４】
このように本実施形態のシャワーヘッド装置１によれば、シャワーヘッドの外観を薄くすることができ、意匠性の向上を図ることができる。
【００５５】
以上、本発明によるシャワーヘッド装置１の実施形態について説明したが、本発明は上記の実施形態に限定されるものではなく、その趣旨を逸脱しない範囲で適宜変更可能である。
【００５６】
例えば、本実施形態では、上通水部３Ａ及び下通水部３Ｂを溶着により一体的に形成されているが、このような溶着による固定手段を省略することも可能である。
【００５７】
また、本実施形態では、散水部材２の中央部にアクセントリング２１と化粧プレート２２とを設けた構成としているが、これらアクセントリング２１と化粧プレート２２を設けることに限定されることはなく、いずれか一方、あるいは両方を省略することも可能ある。また、本実施形態とは異なる形状のアクセントリング２１や化粧プレート２２を採用することも可能である。
【００５８】
さらに、本実施形態では、下通水部３Ｂの一対の凸リブ３５によって上散水板２Ａの位置決めリブ２６５を上方から挟持した状態で嵌合する構成とし、すなわち通水部材３と上散水板２Ａ（散水部材２）とが回転不能に固定され、外周部分で隙間なく固定され、かつ位置決めされた構成としているが、本実施形態のような凸リブ３５と位置決めリブ２６５による嵌合構造であることに限定されることはなく、他の構成としてもよい。つまり、通水部材３と上散水板２Ａとを回転不能に固定すること、外周部分で隙間なく固定すること、及び位置決めすることのうち少なくとも１つを満たす嵌合構造であってもよい。また、このような嵌合構造を省略することも可能である。
【００５９】
その他、本発明の趣旨を逸脱しない範囲で、上記した実施形態における構成要素を周知の構成要素に置き換えることは適宜可能である。
【符号の説明】
【００６０】
１  シャワーヘッド装置
２  散水部材
２Ａ  上散水板
２Ｂ  下散水板
３  通水部材
３Ａ  上通水部（裏側通水部）
３Ｂ  下通水部（表側通水部）
３Ｃ  環状通水路
４  本体ケース
５  一次止水機構ユニット
２１  アクセントリング
２２  化粧プレート
２３  第１開口部
２４  散水面
２４ａ  散水孔
２４ｂ  表面
３２  第３開口部
３４  第２流通孔（流出口）
３５  凸リブ
３６  第４開口部
４１  ヘッド本体部
５０  固定ねじ
２６０  第２開口部
２６４  第１流通孔（流入口）
２６５  位置決めリブ
【図１】
2020025610.tif 000003
【図２】
2020025610.tif 000004
【図３】
2020025610.tif 000005
【図４】
2020025610.tif 000006
【図５】
2020025610.tif 000007
【図６】
2020025610.tif 000008
【図７】
2020025610.tif 000009
【図８】
2020025610.tif 000010
【図９】
2020025610.tif 000011
【図１０】
2020025610.tif 000012
【図１１】
2020025610.tif 000013
【図１２】
2020025610.tif 000014
【図１３】
2020025610.tif 000015
【図１４】
2020025610.tif 000016